(57)【要約】【課題】アース外し忘れによる送電線事故を防止することができるアース外し確認装置およびアース外し確認方法を提供する。【解決手段】試充電端側線路開閉器ＬＬＳAに備えられたかつ試充電端側線路開閉器ＬＬＳAと機械的インターロックが掛けられた絶縁抵抗測定用開閉器２０と、試充電端側線路開閉器ＬＬＳAに備えられたかつ制御所システム１から制御可能な絶縁抵抗測定回路３０とを具備する。制御所システム１は、受電端側甲種アースＧB以外の作業アースを外したとされた状態での送電線Ｌの絶縁抵抗とその後に受電端側甲種アースＧBを外した状態での送電線Ｌの絶縁抵抗とを絶縁抵抗測定回路３０に測定させ、この２つの絶縁抵抗の差が規定値よりも大きくないと、「すべての前記作業用アースが取り外されている」と判定する。【選択図】図１
2017184296.tif 000002
【特許請求の範囲】
【請求項１】
送電線停電作業終了後に作業用アースを外したことを確認するためのアース外し確認装置（１０）であって、
送電線（Ｌ）の試充電端側に設けられた試充電端側線路開閉器（ＬＬＳA）に備えられた、かつ、該試充電端側線路開閉器と機械的インターロックが掛けられた絶縁抵抗測定用開閉器（２０）と、
前記試充電端側線路開閉器に備えられた、かつ、制御所システム（１）から制御可能な絶縁抵抗測定回路（３０）とを具備し、
前記制御所システムが、前記送電線の受電端側に設けられた受電端側甲種アース（ＧB）以外の前記作業アースを外したとされた状態での該送電線の第１の絶縁抵抗と該第１の絶縁抵抗の測定後に該受電端側甲種アースを外した状態での該送電線の第２の絶縁抵抗とを前記絶縁抵抗測定回路に測定させ、該測定された第１および第２の絶縁抵抗の差が規定値よりも大きくないと、「すべての前記作業用アースが取り外されている」と判定する、
ことを特徴とする、アース外し確認装置。
【請求項２】
前記試充電端側線路開閉器が、
２本の脚部（１１１）および該２本の脚部の上端を掛け渡す２本の架台座（１１２）を備えた架台（１１０）と、
前記架台座の長手方向に沿って離隔されて該架台座上に並設された赤相、白相および青相充電部（１２０R，１２０W，１２０B）と、
該赤相、白相および青相充電部の開閉動作を行うための充電部駆動装置（１３０）と、
該充電部駆動装置によって前記赤相、白相および青相充電部を連動させて開閉動作させるための平行リンク機構（１４０）とを備え、
前記絶縁抵抗測定用開閉器が、
前記架台座の長手方向に沿って前記赤相、白相および青相充電部と交互に並設された、かつ、前記充電部駆動装置によって前記平行リンク機構を介して連動されて開閉動作させられる他の赤相、白相および青相充電部（２１R，２１W，２１B）とを備え、
前記絶縁抵抗測定用開閉器が、
前記試充電端側線路開閉器が前記充電部駆動装置によって開放されると、該充電部駆動装置によって投入されて、前記送電線の赤相、白相および青相を流れる電流を前記絶縁抵抗測定回路に入力し、
前記試充電端側線路開閉器が前記充電部駆動装置によって投入されると、該充電部駆動装置によって開放されて、前記送電線の赤相、白相および青相を流れる電流を前記絶縁抵抗測定回路に入力しないようにされている、
ことを特徴とする、請求項１記載のアース外し確認装置。
【請求項３】
前記送電線の前記受電端側に設置された計器用変圧器（ＬＰＴ）およびＬＰＴアース（ＧLPT）の間に設けられた、かつ、前記制御所システムから開閉制御可能なＬＰＴアース用開閉器（ＬＥLPT）をさらに具備し、
前記制御所システムが、前記第１の絶縁抵抗の測定前に前記ＬＰＴアース用開閉器を開放するとともに、「すべての前記作業用アースが取り外されている」と判定すると、前記ＬＰＴアース用開閉器を投入する、
ことを特徴とする、請求項１または２記載のアース外し確認装置。
【請求項４】
請求項１乃至３いずれかに記載のアース外し確認装置を用いたアース外し確認方法であって、
前記制御所システムが、前記受電端側甲種アース以外の前記作業アースを外したとされた状態での前記送電線の前記第１の絶縁抵抗を前記絶縁抵抗測定回路に測定させたのち、該受電端側甲種アースを外させた状態での該送電線の前記第２の絶縁抵抗を前記絶縁抵抗測定回路に測定させる第１のステップ（Ｓ１１〜Ｓ１３）と、
前記制御所システムが、前記絶縁抵抗測定回路によって測定された前記第１および第２の絶縁抵抗の差が前記規定値よりも大きくないと、「すべての前記作業用アースが取り外されている」と判定する第２のステップ（Ｓ１４）と、
を具備することを特徴とする、アース外し確認方法。
【発明の詳細な説明】
【技術分野】
【０００１】
本発明は、送電線停電作業終了後に甲種アース等の作業用アースを外したことを確認するのに好適なアース外し確認装置およびアース外し確認方法に関する。
【背景技術】
【０００２】
電力会社では、送電線を停電して実施する送電線停電作業においては、アースの残置や連絡ミスによるアースの外し忘れによって甲種アース等の作業用アースを送電線に取り付けたまま試充電を行うと送電線事故が発生するため、送電線停電作業が終了すると、制御所の当直員は、作業用アースを送電線から外したことを連絡責任者やお客さまに電話で確認したのちに、送電線が健全であるものとして停電復旧操作を行っている。
【０００３】
例えば、当直員は、連絡責任者等に作業用アースなしおよび復旧可能確認を操作票に基づいて電話等により確認し、また、特高のお客さま設備の甲種アース外し操作については操作票に基づいて電話で連絡した上で、指令による停電復旧操作を行っている。
【０００４】
なお、本出願人は、下記の特許文献１において、作業用アースを安全配慮用アースよりも先に外す運用を行う際に作業用アースの外し忘れを確認できるように、第２の送電線の系統運用側に設置された接地開閉器の接地アースに流れる電流の電流値を計測するための計器用変流器および電流計測回路と、停電作業前に接地開閉器を投入したときの電流計測回路によって計測された電流の電流値および停電作業後に作業用アースを第２の送電線から外したとされたときの電流計測回路によって計測された電流の電流値に基づいて、作業用アースが接地開閉器を遮断する前に外されたか否かを判定するための判定回路とを具備するアース外し確認装置を提案している。
【０００５】
また、本出願人は、下記の特許文献２において、各相電圧判定部が、絶縁抵抗と誘導電圧との間の既知の関係に基づいて整定され、誘導電圧に対応する電圧に応じて誘導電圧の有無を示す信号を出力するとともに、設定された所定の電圧以下の場合には誘導電圧無し（すなわち、絶縁性能不良）を示す信号を出力するようにした絶縁性能監視装置を提案している。
【先行技術文献】
【特許文献】
【０００６】
【特許文献１】特開２０１５−４７００１号公報
【特許文献２】特開２０１１−２４７７６９号公報
【発明の概要】
【発明が解決しようとする課題】
【０００７】
しかしながら、作業用アースの外し忘れや連絡ミスによる甲種アース外し操作を忘れるといったヒューマンエラーが生じると、作業用アースを取り付けたまま試充電を行ってしまう結果、三相短絡による感電災害、機器の損壊および系統全体の瞬時電圧低下が生じて、生産工場の製品不良、モーター等設備の電磁接触器の開放およびコンピューターの停止等が発生して、広範囲のエリアに重大な影響を及ぼすことになる。
【０００８】
本発明の目的は、アース外し忘れによる送電線事故を防止することができるアース外し確認装置およびアース外し確認方法を提供することにある。
【課題を解決するための手段】
【０００９】
本発明のアース外し確認装置は、送電線停電作業終了後に作業用アースを外したことを確認するためのアース外し確認装置（１０）であって、送電線（Ｌ）の試充電端側に設けられた試充電端側線路開閉器（ＬＬＳA）に備えられた、かつ、該試充電端側線路開閉器と機械的インターロックが掛けられた絶縁抵抗測定用開閉器（２０）と、前記試充電端側線路開閉器に備えられた、かつ、制御所システム（１）から制御可能な絶縁抵抗測定回路（３０）とを具備し、前記制御所システムが、前記送電線の受電端側に設けられた受電端側甲種アース（ＧB）以外の前記作業アースを外したとされた状態での該送電線の第１の絶縁抵抗と該第１の絶縁抵抗の測定後に該受電端側甲種アースを外した状態での該送電線の第２の絶縁抵抗とを前記絶縁抵抗測定回路に測定させ、該測定された第１および第２の絶縁抵抗の差が規定値よりも大きくないと、「すべての前記作業用アースが取り外されている」と判定することを特徴とする。
ここで、前記試充電端側線路開閉器が、２本の脚部（１１１）および該２本の脚部の上端を掛け渡す２本の架台座（１１２）を備えた架台（１１０）と、前記架台座の長手方向に沿って離隔されて該架台座上に並設された赤相、白相および青相充電部（１２０R，１２０W，１２０B）と、該赤相、白相および青相充電部の開閉動作を行うための充電部駆動装置（１３０）と、該充電部駆動装置によって前記赤相、白相および青相充電部を連動させて開閉動作させるための平行リンク機構（１４０）とを備え、前記絶縁抵抗測定用開閉器が、前記架台座の長手方向に沿って前記赤相、白相および青相充電部と交互に並設された、かつ、前記充電部駆動装置によって前記平行リンク機構を介して連動されて開閉動作させられる他の赤相、白相および青相充電部（２１R，２１W，２１B）とを備え、前記絶縁抵抗測定用開閉器が、前記試充電端側線路開閉器が前記充電部駆動装置によって開放されると、該充電部駆動装置によって投入されて、前記送電線の赤相、白相および青相を流れる電流を前記絶縁抵抗測定回路に入力し、前記試充電端側線路開閉器が前記充電部駆動装置によって投入されると、該充電部駆動装置によって開放されて、前記送電線の赤相、白相および青相を流れる電流を前記絶縁抵抗測定回路に入力しないようにされていてもよい。
前記送電線の前記受電端側に設置された計器用変圧器（ＬＰＴ）およびＬＰＴアース（ＧLPT）の間に設けられた、かつ、前記制御所システムから開閉制御可能なＬＰＴアース用開閉器（ＬＥLPT）をさらに具備し、前記制御所システムが、前記第１の絶縁抵抗の測定前に前記ＬＰＴアース用開閉器を開放するとともに、「すべての前記作業用アースが取り外されている」と判定すると、前記ＬＰＴアース用開閉器を投入してもよい。
本発明のアース外し確認方法は、本発明のアース外し確認装置を用いたアース外し確認方法であって、前記制御所システムが、前記受電端側甲種アース以外の前記作業アースを外したとされた状態での前記送電線の前記第１の絶縁抵抗を前記絶縁抵抗測定回路に測定させたのち、該受電端側甲種アースを外させた状態での該送電線の前記第２の絶縁抵抗を前記絶縁抵抗測定回路に測定させる第１のステップ（Ｓ１１〜Ｓ１３）と、前記制御所システムが、前記絶縁抵抗測定回路によって測定された前記第１および第２の絶縁抵抗の差が前記規定値よりも大きくないと、「すべての前記作業用アースが取り外されている」と判定する第２のステップ（Ｓ１４）とを具備することを特徴とする。
【発明の効果】
【００１０】
本発明のアース外し確認装置およびアース外し確認方法は、以下の効果を奏する。
（１）送電線停電作業終了後にすべての作業用アースを外したことを確実に確認することができるため、アース外し忘れによる送電線事故を防止することができる。
（２）確実な操作、作業員の安全の確保、供給信頼度の向上、送電線事故時の健全性確認および送電線事故時対応の迅速化によるお客さまサービスの向上を図ることができる。
【図面の簡単な説明】
【００１１】
【図１】本発明の一実施例によるアース外し確認装置１０の構成について説明するための図である。
【図２】図１に示した試充電端側線路開閉器ＬＬＳAおよび絶縁抵抗測定用開閉器２０の構成について説明するための図である。
【図３】図１に示したアース外し確認装置１０を用いたアース外し確認方法について説明するためのフローチャートである。
【図４】図１に示したアース外し確認装置１０の変形例の構成について説明するための図である。
【図５】従来の線路開閉器ＬＬＳの構成について説明するための図である。
【発明を実施するための形態】
【００１２】
上記の目的を、送電線の試充電端側に設けられた線路開閉器に試充電良否確認機能を備えさせることによりに実現した。
【実施例１】
【００１３】
以下、本発明のアース外し確認装置およびアース外し確認方法の実施例について図面を参照して説明する。
本発明のアース外し確認装置およびアース外し確認方法は、試充電端電気所（送電線Ｌの試充電端側）に設けられた試充電端側線路開閉器に試充電良否確認機能を備えさせて作業用アースの外し忘れによる送電線事故を防止することを特徴とする。
例えば、試充電端側線路開閉器と機械的インターロックが掛けられた絶縁抵抗測定用開閉器および制御所システムから制御可能な絶縁抵抗測定回路を試充電端側線路開閉器に備えさせて、送電線停電作業終了時には試充電端側線路開閉器が開放されているために試充電端側線路開閉器と機械的インターロックが掛けられた絶縁抵抗測定用開閉器は投入されていることを利用して、送電線Ｌを流れる電流を絶縁抵抗測定回路に絶縁抵抗測定用開閉器を介して入力し、受電端電気所（送電線Ｌの受電端側）に付けられた受電端側甲種アース以外の作業用アースを外した状態での送電線Ｌの絶縁抵抗とその後に受電端側甲種アースを外した状態での送電線Ｌの絶縁抵抗とを絶縁抵抗測定回路に測定させ、測定された絶縁抵抗の差が規定値（例えば、０Ω）よりも大きいか否かを制御所システムに判定させることにより、送電線の健全性を正確に確認してヒューマンエラーによる送電線事故を防止する。
【００１４】
そのため、本発明の一実施例によるアース外し確認装置１０は、図１に示すように、絶縁抵抗測定用開閉器２０と、制御所に設置された制御所システム１から制御可能な絶縁抵抗測定回路３０とを具備する。
なお、以下の説明では、試充電端電気所（送電線Ｌの試充電端側）に設けられた母線開閉器、遮断器、線路開閉器、線路接地開閉器および甲種アースを試充電端側母線開閉器ＢＬＳA、試充電端側遮断器ＣＢA、試充電端側線路開閉器ＬＬＳA、試充電端側線路接地開閉器ＬＥAおよび試充電端側甲種アースＧAと称し、受電端電気所（送電線Ｌの受電端側）に設けられた母線開閉器、遮断器、線路開閉器、線路接地開閉器および甲種アースを受電端側母線開閉器ＢＬＳB、受電端側遮断器ＣＢB、受電端側線路開閉器ＬＬＳB、受電端側線路接地開閉器ＬＥBおよび受電端側甲種アースＧBと称し、お客さま設備である母線開閉器、遮断器、線路開閉器、線路接地開閉器および甲種アースをお客さま側母線開閉器ＢＬＳC、お客さま側遮断器ＣＢC、お客さま側線路開閉器ＬＬＳC、お客さま側線路接地開閉器ＬＥCおよびお客さま側甲種アースＧCと称する。
【００１５】
ここで、絶縁抵抗測定用開閉器２０は、以下のようにして、試充電端側線路開閉器ＬＬＳAと機械的インターロックが掛けられている。
試充電端側線路開閉器ＬＬＳAは、図５に示す従来の線路開閉器ＬＬＳ（受電端側およびお客様端側線路開閉器ＬＬＳB，ＬＬＳC）と同様に、架台１１０と、架台１１０上に立設された赤相、白相および青相充電部１２０R，１２０W，１２０Bと、赤相、白相および青相充電部１２０R，１２０W，１２０Bの開閉動作を行うための充電部駆動装置１３０と、充電部駆動装置１３０によって赤相、白相および青相充電部１２０R，１２０W，１２０Bを連動させて開閉動作させる平行リンク機構１４０を備える。
【００１６】
架台１１０は、２本の脚部１１１（４本の鉄塔からなる。）と、２本の脚部１１１の上端を掛け渡す２本の架台座１１２とを備える。
【００１７】
赤相、白相および青相充電部１２０R，１２０W，１２０Bは、架台座１１２の長手方向に沿って離隔されて架台座１１２上に並設されている。
赤相充電部１２０Rは、送電線Ｌの赤相（以下、「赤相送電線ＬR」と称する。）の接続／遮断切替を行うためのものであり、架台座１１２の長手方向と直角に架台座１１２上に取り付けられた赤相柱台座１２１Rと、赤相柱台座１２１Rの両端部に立設された２本の赤相固定碍子柱１２２Rと、赤相柱台座１２１Rの２本の赤相固定碍子柱１２２Rの中間部に回転自在に立設された赤相回転碍子柱１２３Rとを備える。
また、赤相回転碍子柱１２３Rの上端には、可動子としての板棒状の赤相ブレード１２４Rが取り付けられている。２本の赤相固定碍子柱１２２Rの上端には、赤相ブレード１２４Rの両端部（可動側接触部）を受け止めるための赤相接触部１２５R（固定側接触部）が取り付けられている。
赤相回転碍子柱１２３Rが充電部駆動装置１３０によって平行リンク機構１４０を介して回動されると、赤相ブレード１２４Rが赤相回転碍子柱１２３Rと共に回動して、赤相ブレード１２４Rの両端部が２本の赤相固定碍子柱１２２Rの赤相接触部１２５Rに接触したり離れたりすることにより、赤相送電線ＬRの接続／遮断切替が行われる。
【００１８】
白相および青相充電部１２０W，１２０Bは、平行リンク機構１４０によって赤相充電部１２０Rと同期して送電線Ｌの白相および青相（以下、「白相および青相送電線ＬW，ＬB」と称する。）の接続／遮断切替を行うためのものであり、赤相充電部１２０Rと同様に構成されている。
【００１９】
絶縁抵抗測定用開閉器２０は、図２に示すように、架台座１１２の長手方向に沿って試充電端側線路開閉器ＬＬＳAの赤相、白相および青相充電部１２０R，１２０W，１２０Bと交互に並設されるとともに充電部駆動装置１３０によって平行リンク機構１４０を介して連動されて開閉動作させられる赤相充電部２１R、白相充電部２１Wおよび青相充電部２１Bからなる。
【００２０】
赤相充電部２１Rは、試充電端側線路開閉器ＬＬＳAの赤相充電部１２０Rと白相充電部１２０Wとの間に設けられており、架台座１１２の長手方向と直角に架台座１１２上に取り付けられた赤相柱台座２２Rと、赤相柱台座２２Rの端部に立設された赤相固定碍子柱２３Rと、赤相柱台座２２Rの中間部に回転自在に立設された赤相回転碍子柱２４Rとを備える。
赤相固定碍子柱２３Rは、試充電端側線路開閉器ＬＬＳAの２本の赤相固定碍子柱１２２Rのうち受電端電気所側の赤相固定碍子柱１２２Rと架台座１１２の長手方向に沿って並設されている。
赤相回転碍子柱２４Rは、試充電端側線路開閉器ＬＬＳAの赤相回転碍子柱１２３Rと架台座１１２の長手方向に沿って並設されている。
【００２１】
赤相回転碍子柱２４Rの上端には、可動子としての板棒状の赤相ブレード２５Rが取り付けられている。
赤相固定碍子柱２３Rの上端には、試充電端側線路開閉器ＬＬＳAの受電端電気所側の赤相接触部１２５Rと赤相送電線接続線ＬaRを介して電気的に接続された、かつ、赤相ブレード２５Rの先端部（可動側接触部）を受け止めるための赤相接触部２６Rが取り付けられている。
赤相回転碍子柱２４Rの上端には、絶縁抵抗測定回路３０と赤相接続線ＬbRを介して電気的に接続された、かつ、赤相ブレード２５Rの末端部が固定された赤相回転側接触部２７Rが取り付けられている。
【００２２】
赤相回転碍子柱２４Rが充電部駆動装置１３０によって平行リンク機構１４０を介して回動されると、赤相ブレード２５Rが赤相回転碍子柱２４Rと共に回動して、赤相ブレード２５Rの先端部が赤相固定碍子柱２３Rの赤相接触部２６Rに接触したり離れたりすることにより、赤相送電線ＬRと絶縁抵抗測定回路３０との接続／非接続切替が行われる。
【００２３】
白相および青相充電部２１W，２１Bは、平行リンク機構１４０によって赤相充電部２１Rと同期して白相および青相送電線ＬW，ＬBと絶縁抵抗測定回路３０との接続／非接続切替を行うためのものであり、赤相充電部２１Rと同様に構成されている。
【００２４】
ただし、絶縁抵抗測定用開閉器２０の赤相、白相および青相ブレード２５R，２５W，２５Bは、試充電端側線路開閉器ＬＬＳAが開放（オフ）されると絶縁抵抗測定用開閉器２０が投入（オン）され、一方、試充電端側線路開閉器ＬＬＳAが投入されると絶縁抵抗測定用開閉器２０が開放されるように（すなわち、試充電端側線路開閉器ＬＬＳAの赤相、白相および青相ブレード１２４R，１２４W，１２４Bに対して所定の角度だけ違えて）、赤相、白相および青相回転碍子柱２４R，２４W，２４Bに取り付けられている。
これにより、送電線停電作業中は試充電端側線路開閉器ＬＬＳAが開放されているため、送電線停電作業終了時に絶縁抵抗測定回路３０による送電線Ｌの絶縁抵抗測定が可能となるようにされている。
【００２５】
絶縁抵抗測定回路３０は、試充電端側線路開閉器ＬＬＳAの脚部１１１に充電部駆動装置１３０と隣接して取り付けられている。
また、絶縁抵抗測定回路３０は、制御所システム１と通信網を介して相互接続されている。
【００２６】
次に、アース外し確認装置１０を用いたアース外し確認方法（本発明の一実施例によるアース外し確認方法）について、図３に示すフローチャートを参照して説明する。
【００２７】
送電線Ｌにおける送電線停電作業が終了すると、制御所の当直員は試充電端電気所連絡責任者、受電端電気所連絡責任者およびお客様に甲種アース（試充電端側甲種アースＧA、受電端側甲種アースＧBおよびお客様側甲種アースＧC）以外の作業用アースが外されているかを確認するように電話で指示する（ステップＳ１１）。
【００２８】
当直員は、甲種アース以外の作業用アースが外されていることを確認した旨の連絡を試充電端電気所連絡責任者、受電端電気所連絡責任者およびお客様から電話で受け取ると、お客様側甲種アースＧCを外すようにお客様に電話で指示するとともに、制御所システム１によって試充電端側線路接地開閉器ＬＥAを開放するように制御して試充電端側甲種アースＧAを外す（ステップＳ１２）。
このとき、送電線停電作業に伴い試充電端側線路開閉器ＬＬＳAは開放されているため、絶縁抵抗測定用開閉器２０は機械的インターロックにより自動的に投入されているので、送電線Ｌ（赤相、白相および青相送電線ＬR，ＬW，ＬB）に流れる電流が絶縁抵抗測定回路３０に入力される。
【００２９】
当直員は、絶縁抵抗測定用開閉器２０から入力されてくる電流に基づいて絶縁抵抗を測定するように、制御所システム１によって絶縁抵抗測定回路３０を制御させる。これにより、受電端側甲種アースＧBが付けられた状態での送電線Ｌの絶縁抵抗が絶縁抵抗測定回路３０によって測定されて制御所システム１に送信される。
続いて、当直員は、制御所システム１によって受電端側線路接地開閉器ＬＥBを開放するように制御して受電端側甲種アースＧBを外したのち、絶縁抵抗測定用開閉器２０から入力されてくる電流に基づいて絶縁抵抗を測定するように、制御所システム１によって絶縁抵抗測定回路３０を制御させる。これにより、すべての作業用アースが外された状態での送電線Ｌの絶縁抵抗が絶縁抵抗測定回路３０によって測定されて制御所システム１に送信される（以上、ステップＳ１３）。
【００３０】
制御所システム１は、受電端側甲種アースＧBが取り付けられた状態での送電線Ｌの絶縁抵抗の測定値とすべての作業用アースが外された状態での送電線Ｌの絶縁抵抗の測定値とを比較して、両者の差（絶対値）が０Ω（規定値）よりも大きいか否かを判定する（ステップＳ１４）。
制御所システム１は、その判定結果を表示装置に表示する。
【００３１】
当直員は、表示装置に表示された判定結果が絶縁抵抗測定値の差が０Ωよりも大きくないことを示した場合には、すべての作業用アースが外されているとして、送電線Ｌの復旧操作を実施する（ステップＳ１５）。
その結果、試充電端側線路開閉器ＬＬＳA、受電端側線路開閉器ＬＬＳBおよびお客様端側線路開閉器ＬＬＳCが制御所システム１によって投入される（ステップＳ１６）。
このとき、試充電端側線路開閉器ＬＬＳAが投入されるため、絶縁抵抗測定用開閉器２０は機械的インターロックにより自動的に開放される。
【００３２】
当直員は、制御所システム１によって試充電端側遮断器ＣＢAを投入させて、送電線Ｌの試充電を開始する（ステップＳ１７）。
【００３３】
試充電に問題がないと、当直員は、制御所システム１によって受電端側遮断器ＣＢBおよびお客様側遮断器ＣＢCを投入させて、復旧操作を終了する（ステップＳ１８）。
【００３４】
一方、ステップＳ１４において、表示装置に表示された判定結果が絶縁抵抗測定値の差がないことを示した場合には、当直員は、試充電端電気所連絡責任者、受電端電気所連絡責任者およびお客様にすべての作業用アースが外されているかを再確認するように電話で指示する（ステップＳ１９）。
【００３５】
試充電端電気所連絡責任者、受電端電気所連絡責任者およびお客様は、すべての作業用アースが外されているかを再確認し、外れていなかった作業用アースがあるとこの作業用アースを外したのち、その旨を当直員に電話で連絡する（ステップＳ２０）。
【００３６】
当直員は、試充電端電気所連絡責任者、受電端電気所連絡責任者およびお客様から外されていなかった作業用アースを外した旨の連絡を電話で受け取ると、ステップＳ１４からの作業を繰り返す。
【００３７】
なお、ガス絶縁開閉装置（ＧＩＳ）等の設備によっては受電端側線路開閉器ＬＬＳBの線路側（試充電端電気所側）が計器用変圧器ＬＰＴを介して接地されており、絶縁抵抗を測定することができない場合がある。
このような場合には、図４に示すように、制御所システム１から開閉制御可能なＬＰＴアース用開閉器ＬＥLPTを設置して、図３に示したステップＳ１２の後に制御所システム１によってＬＰＴアース用開閉器ＬＥLPTを開放してＬＰＴアースＧLPTを外すとともに、ステップＳ１４の後に制御所システム１によってＬＰＴアース用開閉器ＬＥLPTを投入してＬＰＴアースＧLPTを付けるようにすればよい。
【００３８】
また、試充電端側、受電端側およびお客様側線路接地開閉器ＬＥA，ＬＥB，ＬＥCが三相一括型接地開閉器であり、試充電端側、受電端側およびお客様側甲種アースＧA，ＧB，ＧCが三相一括で接地されている場合には、送電線Ｌの一相のみについて絶縁抵抗を測定することにより作業用アース外し忘れを確認するようにしてもよい。
【００３９】
さらに、送電線Ｌの対地間の絶縁抵抗を測定したが、送電線Ｌの相間の絶縁抵抗を測定し、同様にして作業用アース外し忘れを確認するようにしてもよい。
【符号の説明】
【００４０】
１  制御所システム
１０  アース外し確認装置
２０  絶縁抵抗測定用開閉器
２１R，２１W，２１B  赤相、白相および青相充電部
２２R，２２W，２２B  赤相、白相および青相柱台座
２３R，２３W，２３B  赤相、白相および青相固定碍子柱
２４R，２４W，２４B  赤相、白相および青相回転碍子柱
２５R，２５W，２５B  赤相、白相および青相ブレード
２６R，２６W，２６B  赤相、白相および青相接触部
２７R，２７W，２７B  赤相、白相および青相回転側接触部
３０  絶縁抵抗測定回路
１１０  架台
１１１  脚部
１１２  架台座
１２０R，１２０W，１２０B  赤相、白相および青相充電部
１２１R，１２１W，１２１B  赤相、白相および青相柱台座
１２２R，１２２W，１２２B  赤相、白相および青相固定碍子柱
１２３R，１２３W，１２３B  赤相、白相および青相回転碍子柱
１２４R，１２４W，１２４B  赤相、白相および青相ブレード
１２５R，１２５W，１２５B  赤相、白相および青相接触部
１３０  充電部駆動装置
１４０  平行リンク機構
Ｌ  送電線
ＬR，ＬW，ＬB  赤相、白相および青相送電線
ＬaR，ＬaW，ＬaB  赤相、白相および青相送電線接続線
ＬbR，ＬbW，ＬbB  赤相、白相および青相接続線
ＬＬＳ  線路開閉器
ＬＬＳA，ＬＬＳB，ＬＬＳC  試充電端側、受電端側およびお客様端側線路開閉器
ＬＥA，ＬＥB，ＬＥC  試充電端側、受電端側およびお客様側線路接地開閉器
ＢＬＳA，ＢＬＳB，ＢＬＳC  試充電端側、受電端側およびお客様端側母線開閉器
ＬＥLPT  ＬＰＴアース用開閉器
ＢＬＳA，ＢＬＳB，ＢＬＳC  試充電端側、受電端側およびお客様側母線開閉器
ＣＢA，ＣＢB，ＣＢC  試充電端側、受電端側およびお客様側遮断器
ＬＰＴ  計器用変圧器
ＧA，ＧB，ＧC  試充電端側、受電端側およびお客様側甲種アース
ＧLPT  ＬＰＴアース
Ｓ１１〜Ｓ２０  ステップ
【図１】
2017184296.tif 000003
【図２】
2017184296.tif 000004
【図３】
2017184296.tif 000005
【図４】
2017184296.tif 000006
【図５】
2017184296.tif 000007